(57)【要約】【課題】  本発明は、デッキ床材を簡単に展開及び収納することができるデッキ床材の収納機構を提供する。【解決手段】  折り畳みを可能とするため、曲折方向が交互になるよう連結した複数枚のデッキ床材を、曲率を持った部材に沿ってスライドさせることにより、デッキ床材を簡単に展開したり収納したりすることができる。【選択図】図６
2009013763.tif 000002
【特許請求の範囲】
【請求項１】
複数枚を連結して折り畳み可能としたデッキ床材を、曲率を持った部材に沿ってスライドさせることにより折り畳んで収納することを特徴とするデッキ床材の収納機構
【請求項２】
中空構造を有した複数枚の材を、リング状の連結金物と丸棒で連続して連結し、折り畳み可能としたことを特徴とするデッキ床材
【請求項３】
請求項２記載のデッキ床材を、曲率を持った部材に沿ってスライドさせることにより折り畳んで収納することを特徴とするデッキ床材の収納機構
【請求項４】
デッキ床材を収納箇所へと誘導する斜面を有するガイドを取り付けたことを特徴とする請求項１または３記載のデッキ床材の収納機構
【発明の詳細な説明】
【技術分野】
【０００１】本発明は、デッキ床材を簡単に展開及び収納することができるデッキの収納機構に関するものである。
【背景技術】
【０００２】北海道のような積雪地域では、屋根からの落雪による破損の危惧や、冬期間の除排雪の負担などから、一般的な据え置き型のデッキの設置を断念する事例が見受けられる。【０００３】このような場所へは、まず、床材を着脱可能にしたデッキ（例えば特許文献１〜４参照）の設置が考えられる。落雪による破損を最も危惧すべきは床材であり、また主に雪が積もるのは床材の上である。床材を取り除くことで落雪や除排雪の心配がなくなる。【０００４】
【特許文献１】特開２０００−２７２８９号公報
【特許文献２】特開２００２−２９４９８８号公報
【特許文献３】特開２００４−８４２２５号公報
【特許文献４】特開２００４−３３２３４８号公報
【０００５】その他に、必要時に家屋の床下から引き出して使用できるデッキの提案もされている（例えば特許文献５参照）。冬期間、家屋の床下に収納しておくことも可能であり、落雪や除排雪を心配する必要はない。【０００６】
【特許文献５】特開２００４−２８５８２０号公報
【０００７】また、複数枚の床材を折り畳み可能な構造に連結する方法として、蝶番を使うことが想定される（例えば特許文献６参照）。【０００８】
【特許文献６】特開２００１−３２５１１号公報
【発明の開示】
【発明が解決しようとする課題】
【０００９】しかし床材を着脱可能にしたデッキでは、床材は１枚ずつ、あるいはパネル化したものを着脱しなければならず、さらに持ち上げて運ばなければならないため、その作業が大きな負担となる。【００１０】一方、引き出して使用するデッキでは、取り付け時の施工が大がかりなものとなり、コストが高くなる。【００１１】また、蝶番を使った床材の折り畳み機構は、蝶番が十分な強度を持ち、さらに床材を展開した際に表面に突出しない構造を持つ必要がある上に、中空構造の材料を使用した際には蝶番を取り付けるための締結用部品の保持力を確保しなければならない。これらの条件を満たす蝶番や締結用部品を使うことでコストが高くなる。【００１２】本発明は、上記のような従来技術が有していた、大きな作業負担やコスト増の課題を解決しようとするものであり、安価で作業負担の小さい床材収納機構を提供することを目的とする。
【課題を解決するための手段】
【００１３】上記の課題を解決するために、本発明における床材の収納機構は、複数枚を折り畳みが可能となるように連結したデッキ床材を、曲率を持った部材に沿ってスライドさせることにより折り畳んで積み重ねることを特徴とする。また、デッキ床材を収納箇所へと誘導する斜面を有するガイドを取り付けた構成とする。【００１４】本発明における床材の連結方法は、中空構造を有した複数枚の材を、リング状の連結金物と丸棒とで連結することでデッキ床材が折り畳み可能となることを特徴とする。
【発明の効果】
【００１５】本発明は、複数枚のデッキ床材を連結することで、床材の収納や展開を一度に行うことができる上、デッキ床材を持ち上げて移動するのではなく、部材の上をスライドさせて収納・展開するため、作業負担が大幅に軽減される。【００１６】また、デッキ床材を曲率を持った部材に沿ってスライドさせることで、水平方向の移動から下方向への移動、あるいは垂直方向の移動から水平方向への移動へとスムーズに連続的に移行させることができる。【００１７】収納時については、水平方向から垂直方向への移動に移行した後、自重によって下向きの力がかかるため、床材をスライドさせる手助けとなり、作業負担が軽減される。【００１８】さらに収納時には、底についたデッキ床材から折り畳まれて自動的に整然と積み重なり、簡単に収納することができる。このとき斜面を有するガイドを取り付けることで、その確実性がさらに高まる。【００１９】デッキ床材の連結には、リング状の連結金物と丸棒を使用することで、特殊な蝶番や締結用部品を使用する必要がなく、またこのときデッキ床材には切り込みを入れるだけの加工で済むため、コストを抑え、十分な強度を確保することができる。
【発明を実施するための最良の形態】
【００２０】以下、本発明の実施の形態を図面に基づいて説明する。【００２１】図１（ａ）は本発明のデッキ床材を展開した様子を示す側面図、（ｂ）はその斜視図であり、連結された床材１〜７と曲率を持った部材８からなる。ただし床材の数はこれに限らない。【００２２】床材１〜７のそれぞれの連結は、片方向のみの曲折を可能とし、図２に示すように、上下交互に曲折するよう連結されている。【００２３】図３（ａ）はデッキ床材を収納した様子を示す側面図、（ｂ）はその斜視図である。図４〜７は、図１の状態から図３の状態になるまでの床材が収納される様子の一例を示す説明図である。【００２４】図１の状態から、床材を収納する方向へスライドさせると、図４にあるように曲率を持つ部材８の先で床材１と床材２の連結部から下方に折れる形で床材１が垂れ下がる。さらに押し込むと床材２と床材３の連結部は上面が谷になる折れ方のため、折れないまま進む（図５参照）。図５で示すように、床材２から垂れ下がった状態の床材１は、垂直よりもやや内側に入り込むように垂れ下がっているため、接地後、上方から押しつけられると、表面を下にして収納される。さらに床材をスライドさせると、床材２は表面を上に、床材３は表面を下にというように、向きを交互に変えながら重なって収納される（図６〜７参照）。【００２５】条件によっては、図５の状態からさらに下方に進んだ床材１が、接地後、図８にあるように垂直に立ってしまう場合が考えられる。そこで図９に示すような斜面を有するガイド９を底部に取り付けることにより、ガイド９の斜面に接地した床材１が斜面の下方向にスライドすることで表面を下にして収納される。【００２６】収納の方法として、折り畳みの向きが逆のものも考えられる（図１０参照）。図１１〜１３に収納される様子の一例を示す。【００２７】展開時に図１の状態から床材を上下反転させた場合、床材を収納する方向へスライドさせると、床材１と２がほぼ垂直に垂れ下がる（図１１参照）。そのため底部に斜面を有するガイド９をつけることで、床材１の裏面を下にして収納される（図１２参照）。その後は向きを交互に変えながら重なって収納される（図１３参照）。【００２８】展開については、図３にあるような収納された状態から、床材７を引くことで行う。【００２９】図１４（ａ）は本発明における床材の連結方法を示す平面図、図１４（ｂ）は図１４（ａ）を下側から見た側面図である。【００３０】隣り合う床材１０に、図１５にあるような切り欠き１１を向かい合うように複数箇所入れる。その切り欠きに連結金物１２を差し込み、床材の中空部分で丸棒１３をその連結金物に通す。１つの連結金物に、２枚の床材の中空部分でそれぞれ１本ずつ丸棒が通ることで、床材を連結する。【００３１】３枚以上の床材を連結する場合、図１６で示すように、その連結箇所は、上方と下方とで交互に配置する。これにより床材を折り畳む際、曲折する方向が交互になる。【００３２】１本の丸棒が通る連結金物を２つ以上にすることで安定性が得られる。
【図面の簡単な説明】
【００３３】
【図１】本発明の一実施形態において、（ａ）はデッキ床材の展開した様子を示す側面図、（ｂ）はその斜視図である。
【図２】図１の床材における曲折の一実施形態を示す側面図である。
【図３】（ａ）は図１におけるデッキ床材が収納した様子を示す側面図、（ｂ）はその斜視図である。
【図４】（ａ）は図２におけるデッキ床材が図１の状態から収納される様子を示す側面図、（ｂ）はその斜視図である。
【図５】（ａ）は図４の状態からデッキ床材がさらに収納される様子を示す側面図、（ｂ）はその斜視図である。
【図６】（ａ）は図５の状態からデッキ床材がさらに収納される様子を示す側面図、（ｂ）はその斜視図である。
【図７】（ａ）は図６の状態からデッキ床材がさらに収納される様子を示す側面図、（ｂ）はその斜視図である。
【図８】図２におけるデッキ床材の収納時の一実施形態を示す側面図である。
【図９】ガイドを取り付けた一実施形態において、図２におけるデッキ床材が収納される様子を示す側面図である。
【図１０】図１の床材における曲折の一実施形態を示す側面図である
【図１１】（ａ）は図１０におけるデッキ床材が図１の状態から収納される様子を示す側面図、（ｂ）はその斜視図である。
【図１２】（ａ）は図１１の状態からデッキ床材がさらに収納される様子を示す側面図、（ｂ）はその斜視図である。
【図１３】（ａ）は図１２の状態からデッキ床材がさらに収納される様子を示す側面図、（ｂ）はその斜視図である。
【図１４】本発明の一実施形態において、（ａ）は床材の連結方法を示す平面図、（ｂ）は（ａ）を下側から見た側面図である。
【図１５】図１４における床材の切り欠きを示す斜視図である。
【図１６】本発明の一実施形態において、床材の連結方法を示す側面図である。
【符号の説明】
【００３４】１  床材
２  床材
３  床材
７  床材
８  曲率を持った部材
９  ガイド
１０  床材
１１  切り欠き
１２  連結金物
１３  丸棒
【図１】
2009013763.tif 000003
【図２】
2009013763.tif 000004
【図３】
2009013763.tif 000005
【図４】
2009013763.tif 000006
【図５】
2009013763.tif 000007
【図６】
2009013763.tif 000008
【図７】
2009013763.tif 000009
【図８】
2009013763.tif 000010
【図９】
2009013763.tif 000011
【図１０】
2009013763.tif 000012
【図１１】
2009013763.tif 000013
【図１２】
2009013763.tif 000014
【図１３】
2009013763.tif 000015
【図１４】
2009013763.tif 000016
【図１５】
2009013763.tif 000017
【図１６】
2009013763.tif 000018